(57)【要約】【課題】  安全な保持が達成されるように第１又は第２保護要素への第３保護要素の接合部を形成する。【解決手段】  第１〜第３保護要素１１，１５，１８を有する農業用装置の二重自在継手１のための保護装置。第１保護要素１１は、第１前縁部近くで外周１３上に円周方向に分散形成され外周１３を越え延びる第１保持突起１４を有し、第１前縁部に対し離れた円周方向部分にわたり溝を形成し、第１前縁部を越え突出する支持タブを有する。第２保護要素１５は、第２前縁部の近くでその外周上に円周方向に分散形成される第２保持突起１７を有し、該第２保持突起は第２前縁部に近い第１の円周方向縁部領域にわたり第２の溝を形成し、第２前縁部に対し離れた第２の円周方向縁部領域にわたりアンダーカット部を形成する。第３保護要素１８の保持部分は第１、第２保持突起１４，１７の数に対応する第１、第２貫通孔２０，２２を有し、そこに保持突起が係合する。【選択図】  図１
2005140332.tif 000002
【特許請求の範囲】
【請求項１】
農業用装置及び自走式器具の駆動装置における継手、或いは農業用装置及び自走式器具を駆動するための継手、特に二重自在継手のための保護装置であって、
第１の前縁部（２５）をもつ環状部（１２）を有すると共に、外周（１３）上に第１の取付手段（１４）を備えている第１の保護要素（１１）と、
外周（１６）上に第２の取付手段（１７）及び第２の前縁部（３４）を有する環状の第２の保護要素（１５）と、
第１の環状端（１９）上に前記第１の取付手段（１４）に結合するための第１の結合手段（２０）を有し、第２の環状端（２１）上に前記第２の取付手段（１７）に結合するための第２の結合手段（２２）を有し、そしてそれらの間に、少なくとも１つのくぼみ（２３ａ）を形成する、円周方向に延びる包囲部（２３）を有する、エラストマー材料から造られた第３の保護要素（１８）とを備えており、
前記第１の保護要素（１１）の前記第１の取付手段（１４）は、前記第１の前縁部（２５）の近くで前記第１の保護要素（１１）の前記外周（１３）上に円周方向に分布して形成されると共に前記外周（１３）を越えて延びる複数の第１の保持突起により構成されており、該第１の保持突起は、前記第１の前縁部（２５）に対し離れた少なくとも円周方向部分（２９）にわたり溝（３０）を形成すると共に、前記第１の前縁部（２５）に近い円周方向部分にわたり、前記第１の前縁部（２５）を越えて突出する支持タブ（２６）又はアンダーカットの円周方向縁部を形成しており、
前記第２の保護要素（１５）の前記第２の取付手段（１７）は、前記第２の前縁部（３４）の近くで前記第２保護要素（１５）の前記外周（１６）上に円周方向に分布して形成されると共に前記外周（１６）を越えて延びる複数の第２の保持突起により構成されており、該第２の保持突起は、前記第２の前縁部（３４）に近い少なくとも第１の円周方向縁部領域（３５）にわたり第２の溝（３６）を形成すると共に、前記第２の前縁部（３４）に対し離れた第２の円周方向縁部領域（３７）にわたり、アンダーカット部又は溝を形成しており、
前記第１の結合手段（２０）及び前記第２の結合手段（２２）は、端部のところで前記第３の保護要素（１８）に形成された複数の保持部分（３１，４０）に対し配設されており、該保持部分は、前記第１の保持突起（１４）及び前記第２の保持突起（１７）の数に対応する多数の第１の貫通孔（２０）及び第２の貫通孔（２２）を有しており、該第１の貫通孔（２０）及び第２の貫通孔（２２）は、前記第１及び第２の保持突起（１４，１７）により係合されており、それらの境界縁部（３２，４３ａ，４４）は、少なくとも対応する前記溝（３０，３６）にそれぞれ係合する、保護装置。
【発明の詳細な説明】
【技術分野】
【０００１】
本発明は、農業用装置及び自走式器具の駆動装置における継手、或いは農業用装置及び自走式器具を駆動するための継手、特に二重自在継手のための保護装置に関するものである。かかる保護装置は、偶発的な接触に対する保護の役目を果たすと共に、該保護装置に囲まれた継手がその内部で回転できるように、結合手段により固定的に保持されている。この保護装置は、回転されることはなく、そして回転要素に人間が接触するのを防止するのに役立つ。
【背景技術】
【０００２】
このような保護装置は、特許文献１に記載されている。該保護装置は、第１の前縁部を有する環状部分をもつ第１の保護要素を備えると共に、その外周上に、カラーの形態の第１の取付手段を備えている。結合要素の形態をした環状の第２の保護要素も設けられている。この第１の保護要素と第２の保護要素との間には弾性材料から製作された第３の保護要素が配設されており、該第３の保護要素は、第１の環状端上に、カラーの形態の第１の取付手段に結合するためのフック状の第１の結合手段を有している。第３の保護要素の第２の環状端上には、第２の結合手段が設けられていて、結合要素上の第２の取付手段と結合している。該結合要素は、第２の取付手段としての座面を有しており、該座面上に、第３の保護要素に属するカラーを第２の結合手段として保持することができる。なお、このカラーは、溝付きであると共に、ねじにより直径が減少されることができる。第３の保護要素は、くぼみを有して第１の環状端と第２の環状端との間の領域に形成されており、該くぼみに、直径に関して第２の取付端と異なっている第１の取付端が形成されている。このくぼみは、長手方向軸線を含む半径方向断面になって延びると共に、周囲の一部と圧縮された周囲の更なる一部に延びた継手の連接に依存している。第３の保護要素の第１環状部及び第２環状部の間の包囲部に、貫通孔が設けられている。この包囲部は、格子構造を有することもできると共に、少なくとも１つのくぼみを形成する。
【特許文献１】独国特許発明第１０１５３８２２号明細書（＝ＵＳ２００３／０１０９３１６ Ａ１）
【０００３】
継手を関節式につなぐときに、伸張及び圧縮のため、大きな力が取付手段又は結合手段に作用する。
【発明の開示】
【発明が解決しようとする課題】
【０００４】
本発明の目的は、安全な保持が達成されるような方法で第１又は第２の保護要素への第３の保護要素の接合部をそれぞれ形成することである。
【課題を解決するための手段】
【０００５】
この目的は、本発明によると、  農業用装置及び自走式器具の駆動装置における継手、或いは農業用装置及び自走式器具を駆動するための継手、特に二重自在継手のための保護装置であって、
第１の前縁部をもつ環状部を有すると共に、その外周上に第１の取付手段を備えている第１の保護要素と、
外周上に第２の取付手段及び第２の前縁部を有する環状の第２の保護要素と、
第１の環状端上に前記第１の取付手段に結合するための第１の結合手段を有し、第２の環状端上に前記第２の取付手段に結合するための第２の結合手段を有し、そしてそれらの間に、円周方向に延びる包囲部を有していて、少なくとも１つのくぼみを形成する、エラストマー材料から造られた第３の保護要素とを備えており、
前記第１の保護要素の前記第１の取付手段は、前記第１の前縁部の近くで前記第１の保護要素の前記外周上に円周方向に分布して形成されると共に前記外周を越えて延びる複数の第１の保持突起により構成されており、該第１の保持突起は、前記第１の前縁部に対し離れた少なくとも円周方向部分にわたり溝を形成すると共に、前記第１の前縁部に近い円周方向部分にわたり、前記第１の前縁部を越えて突出する支持タブ又はアンダーカットの円周方向縁部を形成しており、
前記第２の保護要素の前記第２の取付手段は、前記第２の前縁部の近くで前記第２保護要素の前記外周上に円周方向に分布して形成されると共に前記外周を越えて延びる複数の第２の保持突起により構成されており、該第２の保持突起は、前記第２の前縁部に近い少なくとも第１の円周方向縁部領域にわたり第２の溝を形成すると共に、前記第２の前縁部に対し離れた第２の円周方向縁部領域にわたり、アンダーカット部又は溝を形成しており、
前記第１の結合手段及び前記第２の結合手段は、端部のところで前記第３の保護要素に形成された複数の保持部分に対し配設されており、該保持部分は、前記第１の保持突起及び前記第２の保持突起の数に対応する多数の第１の貫通孔及び第２の貫通孔を有しており、該第１の貫通孔及び第２の貫通孔は、前記第１及び第２の保持突起により係合されており、それらの境界縁部は、少なくとも対応する前記溝にそれぞれ係合する、保護装置によって解決される。
【０００６】
この実施形態における有利な点は、一方では、第３の保護要素と第１の保護要素との間に、他方では、第３の保護要素と第２の保護要素との間に、全般的に確実な保持が実現されることであり、そのため更に、分離もしくは取外しが工具を使用することによってのみ可能であり、アクセス保護を提供すべき第３の保護要素が無意識に取り外されるのを確実に回避する。継手に対して又は保護装置の諸構成要素に対して行うべき修理又は保守作業のための分解又は取外しは、意識的に工具を使用する場合にのみ行うことができる。
【０００７】
本発明の実施形態において、第１の保護要素に帰属する第１の保持突起は、第１の前縁部から離れた第３の円周方向縁部におけるよりも長く前記外周の円周方向に前記第１の前縁部の近くの領域に形成されている。この措置は、第３の保護要素の包囲部の圧縮中はもちろんのこと長尺化中に、都合良く力を導入することを実現する。
【０００８】
組立てを都合良く行うために、保持突起は、側面に、互いに平行に延び、溝がなく、続いて第１の前縁部から離れるように延びる第１の円周方向縁部と、互いの方に向かい延び、溝を有する第２の円周方向縁部とを有して、対応する保護要素の外周の円周方向に第１の前縁部の近くの領域に設けられている。
【０００９】
都合良く力を導入すること（advantageous force introduction)は、互いの方に延びる第２の円周方向縁部がやはり溝を有する弧状部の形の第３の円周方向縁部によって結合されるときに、特に実現される。
【００１０】
好ましいのは、第１の保護要素又は第２の保護要素に帰属する第１の保持突起又は第２の保持突起は、上から見たときに、本質的に矩形である基本形状を有しており、この基本形状において、対応の保護要素の外周の円周方向に平行に延びる円周方向縁部領域は、対応の保護要素により形成された長手方向軸線に平行に延びる円周方向縁部領域よりも短く形成されていることである。この場合、保持突起との結合のために設けられた保持部分が保持ウェブによりそれぞれ隔てられた貫通孔を円周方向に備えているときに有利である。格子構造の一形式が達成される。
【００１１】
有利な力の分布は、第１の貫通孔が第１の保持突起に対応して円周方向に分散し配設されたタブ状の第１の保持部分の一部を形成するときに達成される。６個のかかるタブ状の第１の保持部分が設けられているのが好ましい。このようにして、周囲全体にわたる効果的に分散した力の導入及び有利な組立てが実現される。
【００１２】
継手で用いるために、特に第１の保護要素は、直径に関して、第２の保護要素よりも大きく形成される。第３の保護要素は、半径断面で見たときに、第１の保護要素及び第２の保護要素の間にくぼみを形成している。
【００１３】
互いに関する各保護要素の配設のために、第１の前縁部及び第２の前縁部は、継手の非連接状態において反対方向に向くように設けられている。
【００１４】
第３の保護要素の包囲部は、貫通孔もしくは格子構造を有するように設けられていることが好ましい。
【００１５】
本発明の好適な実施形態は図面に概略的に示されている。
【発明を実施するための最良の形態】
【００１６】
図１には、二重自在継手１の形態の継手が見られ、この図で保護装置は半分が長手方向断面図で示されている。二重自在継手１は、第１のジャーナルクロス３を介してハウジング４の対応するジョイントヨークに結合される結合ヨーク２を有している。これは、第２のジャーナルクロス５を介してジョイントヨーク６に結合される別のジョイントヨークを支持している。このジョイントヨーク６は、長さ調節装置に属するプロファイルドチューブ９に結合されると共に、更なるプロファイルドチューブ（図示せず）を介して入れ子式に上述のプロファイルドチューブ９に、そして更なる継手装置に結合されている。ジョイントヨーク６に設けられているのは結合要素７であって、これは、プロファイルドチューブ９を覆う保護チューブ８に結合されている。トルクは、例えば、結合ヨーク２と、２つのジョイントヨークを有するハウジング４と、２つのジャーナルクロス３，５とを介してジョイントヨーク６に伝達され、そして該ジョイントヨークからプロファイルドチューブを介してユニバーサルシャフトの他端で対応の装置に伝達される。農業用装置及び自走式器具において、かかる継手装置は、例えば、これらがトラクターの原動機動力取出し軸から付属器具への回転運動の伝達に役立っているとき、しばしば自由にアクセスできるので、そのために保護装置が設けられる。これらの保護装置は、図示しない手段を介して付属器具の固定部分に結合されているので、固定の保護装置として形成されている、即ち、それらは継手により支持されているが、作動中に同継手と一緒に回転しない。保護装置に帰属する諸構成要素は、ファストコネクションを実現するような方法で互いに結合されているので、全ての構成要素は固定である。
【００１７】
本発明による保護装置は、例えば二重自在継手１の形をした１つの継手の領域にあるユニバーサルシャフトの被覆すべき部分に特に関係している。
【００１８】
この保護装置は、例えばプラスチック材料から形成される第１の保護要素１１を備えており、これは、継手１のハウジング４に設けられる支承リング１０によって回転式に支持される。保護装置は、結合ヨーク２から離れる方向に延びる、外周１３を有する環状部１２を備えており、その上に円周方向に分布した第１の保持突起１４が第１の取付手段として形成されている。それらの構造は、図２及び図３に関連して詳細に記載される。
【００１９】
第２の保護要素１５が設けられており、これは、結合要素７に結合されるか、或いは結合要素の機能を追加的に備えることができる。第２の保護要素１５は、その外周１６の上に、第２の保持突起１７を備えている。その構造は、図５及び図６を用いて以下に記載されている。
【００２０】
第１の保護要素１１とより小さな直径を有する第２の保護要素１５との間には、第１の環状端１９を有する第３の保護要素１８が配設されており、この環状端で第３の保護要素は第１の保護要素１１の外周１３に結合されている。第３の保護要素は、第１の結合手段として、長手方向軸線Ｘの周りに円周方向に分布配設されると共に複数の第１の保持突起１４とそれぞれ相互に作用する複数の第１貫通孔２０を有している。この構造は、以下に図４に関連して詳細に記載されている。
【００２１】
第３の保護要素１８は第２の環状端２１を有しており、そこには、第２の保持突起１７と係合する複数の第２の貫通孔２２が長手方向軸線Ｘの周りに円周方向に配置されている。第１の環状端１９及び第２の環状端２１の間の領域に包囲部２３が設けられており、これは、図示のように半径方向の断面図においてくぼみ２３ａを形成している。この包囲部２３に複数の貫通孔２４が分布配置されている。包囲部２３は、特許文献１に記載されているように、格子構造を有することができる。貫通孔２４は、全体として穿孔構造を形成している。
【００２２】
第３の保護要素１８は、継手１の連接にとって必要なスペースである第１の保護要素１１と継手１の諸構成要素との間に形成されたスペースに人間の手が入るのを防止している。貫通孔２４を備えた穿孔構造は、かかるアクセスを防止するために同様に形成されている。
【００２３】
以下に、第１の保護要素１１及び第３の保護要素１８の間の結合について、図２〜図４を用いて詳細に記載する。なお、図２は、環状部１２の展開図の一部を表わしている。外周１３を有する第１の保護要素１１の環状部１２は、第１の前縁部２５で終端している。第１の保護要素１１のこの環状部１２の外周１３上には、この外周１３から突出して第１の前縁部２５近くの領域に配設された複数の第１の保持突起１４が円周方向に分布して形成されている。
【００２４】
第１の保持突起１４の各々は、第１の前縁部２５を越えて延びる支持タブ２６を備えている。これは円周方向に長さＬを有している。第１の前縁部２５から出発して、該支持タブ２６から離れる２つの第１の円周方向縁部２７が、前縁部２５に対して直角をなして且つ互いに平行に延びると共に、支持タブ２６に沿って延びている。これらからそれぞれ延びているのは、互いの方に向かう第２の円周方向縁部２８であり、該円周方向縁部は、支持タブ２６に対し距離を置いたそれらの端部で、第３の円周方向縁部を形成する弧状部２９によって、結合されている。第１の溝３０は、第２の円周方向縁部２８と弧状部である第３の円周方向縁部２９とに沿って延びている。好ましいのは、６個のかかる保持突起１４が円周方向に分布して設けられていることである。これらのうち、２つの保持突起１４がある一部のみが図２の展開図に示されている。
【００２５】
図４において、第３の保護要素１８の第１の環状端１９は、展開図において一部の形で示されている。第３の保護要素１８は、エラストマー材料、特に熱可塑性材料から製作されているので、継手１の連接中において十分な可撓性（弾性）が実現される。
【００２６】
図４に示された部分は、タブ状に形成されて第１の環状端１９から突出する２つの保持部分３１を備えていて、該保持部分に第１の貫通孔２０が形成されており、これら貫通孔の形状は、第１の保持突起１４の形状に適応するようになっている。第１の貫通孔２０は、直線部分が設けられた境界縁部３２，３３により範囲を定められており、該直線部分は、第１の保持突起１４の平行に延びる第１の円周方向縁部２７の長さもしくは距離Ｌに寸法的に対応している。２つの境界縁部３２は溝３０に係合する。境界縁部３３は、支持タブ２６の下方に取着されると共に、支持タブ２６の下側と前縁部２５との間に装着状態で配設されている。従って、第１の保持部分３１を備えた第３の保護要素１８は、第１の保持突起１４上にしっかり保持される。平行な第１の円周方向縁部２７は、第１の保持突起１４で第１の保持部分３１に係合するときに、第３の保護要素１８の組立てを容易にする働きをする。
【００２７】
図５及び図６において、第２の保護要素１５は、その外周１６の一部と共にそれぞれ展開図又は断面図として表わされている。第２の保護要素１５はまた、環状に形成されていると共に第２の前縁部３４を有しており、これは、継手１に関する保護装置の諸構成要素の組立て状態において、第１の前縁部２５に臨んでいる。これは、継手１の非連接状態において第１の前縁部２５及び第２の前縁部３４が反対方向に面していることを意味している。
【００２８】
第２の保護要素１５の外周１６上には、第２の取付手段を構成する多数の第２の保持突起１７が形成されており、これらは外周１６を越えて外側に突き出ている。第２の保持突起１７は、外周上で互いに比較的に接近して設けられている。該第２の保持突起１７は、基本的に前縁部３４と平行であるがそれに対して位置ずれした第１の円周方向縁部領域３５を有しており、そこから出発して、外周１６とこの第１の円周方向縁部領域３５との間には、第２の前縁部３４に向かう方向に開放した第２の溝３６が配設されている。第１の円周方向縁部領域３５に対して直角に、第２の前縁部３４から離れるように延びる第３の円周方向縁部領域３８及び第４の円周方向縁部領域３９が続いている。これらは、第１の円周方向縁部領域３５とほぼ平行に延びると共に第２の前縁部３４から離間して配設された第２の円周方向縁部領域３７により結合されていて、これはアンダーカットもしくは溝をそれぞれ形成している。
【００２９】
第３の保護要素１８の第２の環状端２１の対応する円周方向部分は、複数の第２の保持部分４１を形成しており、該保持部分はそれぞれ、各第２の保持突起１７のための第２の貫通孔２２を構成している。第２の保持部分４１は、外周上に互いに続いて配設された各２つの第２の貫通孔２２の間に、更に保持ウェブ４１及び円周方向ウェブ４２を備えている。第２の貫通孔２２の各々は、平行な境界縁部４３及び平行な境界縁部４４により範囲を定められると共に、対応する第２の保持突起１７に適合しており、そして対応する第２の保持突起１７の溝３６に嵌まる対応の境界縁部４３ａを備えている。２つの境界縁部４３は、互いに平行に延びると共に、第２の溝３６の内側境界縁部又は第２の円周方向縁部３７にそれぞれ適合している。２つの平行な境界縁部４４は、第３及び第４の円周方向縁部領域３８，３９と相互に作用する。
【００３０】
保持ウェブ４１は、外周上に互いに続いて配設された２つの第２の保持突起１７の間に収容される。円周方向ウェブ４２は、保持突起１７の第２の円周方向縁部３７の後に回る。境界縁部４３ａは、互いの方に向かう２つの前縁部２５，３４の移動中、境界縁部３３はもちろんのこと、特に第３の保護要素１８の保持を確実にする。他の領域は、くぼみ２３ａの領域における第３の保護要素１８の長尺化のため張力が生じるときに保持を確実にする。
【００３１】
本発明の実施の形態を以下に要約して列挙する。
【００３２】
＜１＞  農業用装置及び自走式器具の駆動装置における継手、或いは農業用装置及び自走式器具を駆動するための継手、特に二重自在継手のための保護装置であって、第１の前縁部（２５）をもつ環状部（１２）を有すると共に、外周（１３）上に第１の取付手段（１４）を備えている第１の保護要素（１１）と、外周（１６）上に第２の取付手段（１７）及び第２の前縁部（３４）を有する環状の第２の保護要素（１５）と、第１の環状端（１９）上に前記第１の取付手段（１４）に結合するための第１の結合手段（２０）を有し、第２の環状端（２１）上に前記第２の取付手段（１７）に結合するための第２の結合手段（２２）を有し、そしてそれらの間に、少なくとも１つのくぼみ（２３ａ）を形成する、円周方向に延びる包囲部（２３）を有する、エラストマー材料から造られた第３の保護要素（１８）とを備えており、前記第１の保護要素（１１）の前記第１の取付手段（１４）は、前記第１の前縁部（２５）の近くで前記第１の保護要素（１１）の前記外周（１３）上に円周方向に分布して形成されると共に前記外周（１３）を越えて延びる複数の第１の保持突起により構成されており、該第１の保持突起は、前記第１の前縁部（２５）に対し離れた少なくとも円周方向部分（２９）にわたり溝（３０）を形成すると共に、前記第１の前縁部（２５）に近い円周方向部分にわたり、前記第１の前縁部（２５）を越えて突出する支持タブ（２６）又はアンダーカットの円周方向縁部を形成しており、前記第２の保護要素（１５）の前記第２の取付手段（１７）は、前記第２の前縁部（３４）の近くで前記第２保護要素（１５）の前記外周（１６）上に円周方向に分布して形成されると共に前記外周（１６）を越えて延びる複数の第２の保持突起により構成されており、該第２の保持突起は、前記第２の前縁部（３４）に近い少なくとも第１の円周方向縁部領域（３５）にわたり第２の溝（３６）を形成すると共に、前記第２の前縁部（３４）に対し離れた第２の円周方向縁部領域（３７）にわたり、アンダーカット部又は溝を形成しており、前記第１の結合手段（２０）及び前記第２の結合手段（２２）は、端部のところで前記第３の保護要素（１８）に形成された複数の保持部分（３１，４０）に対し配設されており、該保持部分は、前記第１の保持突起（１４）及び前記第２の保持突起（１７）の数に対応する多数の第１の貫通孔（２０）及び第２の貫通孔（２２）を有しており、該第１の貫通孔（２０）及び第２の貫通孔（２２）は、前記第１及び第２の保持突起（１４，１７）により係合されており、それらの境界縁部（３２，４３ａ，４４）は、少なくとも対応する前記溝（３０，３６）にそれぞれ係合する保護装置。
【００３３】
＜２＞  前記第１の保護要素（１１）に帰属する前記第１の保持突起（１４）は、前記第１の前縁部（２５）から離れた第３の円周方向縁部（２９）におけるよりも長く前記外周の円周方向に前記第１の前縁部（２５）の近くの領域に形成されている保護装置。
【００３４】
＜３＞  前記保持突起（１４）は、側面に、互いに平行に延び、溝がなく、続いて前記第１の前縁部（２５）から離れるように延びる第１の円周方向縁部（２７）と、互いの方に向かい延び、溝（３０）を有する第２の円周方向縁部（２８）とを有して、前記対応する保護要素（１１）の前記外周（１３）の円周方向に前記第１の前縁部（２５）の近くの領域に設けられている保護装置。
【００３５】
＜４＞  互いの方に延びる前記第２の円周方向縁部（２８）は、やはり溝（３０）を有する弧状部（２９）の形の第３の円周方向縁部によって結合されている保護装置。
【００３６】
＜５＞  前記第１の保護要素又は前記第２の保護要素（１４）に帰属する前記第１の保持突起又は前記第２の保持突起（１７）は、上から見たときに、本質的に矩形である基本形状を有しており、この基本形状において、前記対応の保護要素（１４）の前記外周（１６）の円周方向に平行に延びる前記円周方向縁部領域（３５，３７）は、前記対応の保護要素（１５）により形成された長手方向軸線（Ｘ）に対し平行に延びる円周方向縁部領域（３８，３９）よりも短く形成されている保護装置。
【００３７】
＜６＞  前記保持突起（１７）との結合のために設けられた保持部分（４０）は、保持ウェブ（４１）によりそれぞれ隔てられた貫通孔（２２）を円周方向に備えている保護装置。
【００３８】
＜７＞  前記第１の貫通孔（２０）は、前記第１の保持突起（１４）に対応して円周方向に分散し配設されたタブ状の第１の保持部分（３１）の一部を形成する保護装置。
【００３９】
＜８＞  前記第１の保護要素（１１）は、直径に関して、前記第２の保護要素（１５）よりも大きく形成されており、前記第３の保護要素（１８）は、半径断面で見たときに、前記第１の保護要素（１１）及び前記第２の保護要素（１５）の間にくぼみ（２３ａ）を形成している保護装置。
【００４０】
＜９＞  前記第１の前縁部（２５）及び前記第２の前縁部（３４）は、前記継手（１）の非連接状態において反対方向に向いている保護装置。
【００４１】
＜１０＞  前記第３の保護要素（１８）の前記包囲部（２３）は貫通孔（２４）もしくは格子構造を有している保護装置。
【図面の簡単な説明】
【００４２】
【図１】本発明による保護装置を備えた二重自在継手の形の継手を半分は平面図で、半分は長手方向断面図で示している。
【図２】２つの第１の保持突起をもつ第１の保護要素の環状部の展開平面図である。
【図３】図２のIII-III線断面図である。
【図４】第１の貫通孔を有する２つの第１の保持部分をもつ図２の部分に合うと共に、第１の保持突起に合う展開形態の第３の保護要素の円周方向部分である。
【図５】２つの第２の保持突起をもつ第２の保護要素の部分の展開平面図である。
【図６】図５のVI-VI線断面図である。
【図７】第２の保持部分にある第２の貫通孔をもつ第３の保護要素の第２の環状端の展開平面図である。
【符号の説明】
【００４３】
１    二重自在継手
２    結合ヨーク
３    第１のジャーナルクロス
４    ハウジング
５    第２のジャーナルクロス
６    ジョイントヨーク
７    結合要素
８    保護チューブ
９    プロファイルドチューブ
１０    支承リング
１１    第１の保護要素
１２    環状部
１３    外周
１４    第１の保持突起（第１の取付手段）
１５    第２の保護要素
１６    外周
１７    第２の保持突起（第２の取付手段）
１８    第３の保護要素
１９    第１の環状端
２０    第１の貫通孔（第１の結合手段）
２１    第２の環状端
２２    第２の貫通孔（第２の結合手段）
２３    包囲部
２３ａ  くぼみ
２４    貫通孔
２５    第１の端縁部
２６    支持タブ
２７    第１の円周方向縁部
２８    第２の円周方向縁部
２９    弧状部（第３の円周方向縁部）
３０    第１の溝
３１    第１の保持部分
３２    境界縁部
３３    境界縁部
３４    第２の端縁部
３５    第１の円周方向縁部領域
３６    第２の溝
３７    第２の円周方向縁部領域
３８    第３の円周方向縁部領域
３９    第４の円周方向縁部領域
４０    第２の保持部分
４１    保持ウェブ
４２    円周方向ウェブ
４３    境界縁部
４３ａ  境界縁部
４４    境界縁部
【図１】
2005140332.tif 000003
【図２】
2005140332.tif 000004
【図３】
2005140332.tif 000005
【図４】
2005140332.tif 000006
【図５】
2005140332.tif 000007
【図６】
2005140332.tif 000008
【図７】
2005140332.tif 000009